(57)【要約】【課題】底壁の強度を低下させることなく、収容する被収容体を分類整理するための仕切板をその底壁の所望の位置に取付可能な整理具を提供する。【解決手段】略一定形状をなす被収容体Ｙを分類整理するためのものであって、複数の被収容体Ｙを収容可能な収容空間Ｘを有する収容部１と、前記収容空間Ｘを分割する仕切板２とを具備し、所定の厚み寸法を有する前記収容部１の底壁１１上面に、前記被収容体Ｙの下部を支持する支持領域１１Ａと、前記仕切板２を着脱可能に支持する複数の窪み部１１Ｍとを設け、前記窪み部１１Ｍに前記仕切板２を選択的に装着し得るようにした。【選択図】図４
2004345657.tif 000002
【特許請求の範囲】
【請求項１】
略一定形状をなす被収容体を分類整理するためのものであって、複数の被収容体を収容可能な収容空間を有する収容部と、前記収容空間を分割する仕切板とを具備し、
所定の厚み寸法を有する前記収容部の底壁上面に、前記被収容体の下部を支持する支持領域と、前記仕切板を着脱可能に支持する複数の窪み部とを設け、
前記窪み部に前記仕切板を選択的に装着し得るようにしていることを特徴とする整理具。
【請求項２】
前記被収容体が、カード状のものであることを特徴とする請求項１記載の整理具。
【請求項３】
前記窪み部が直線的なものであって、
該窪み部を、該窪み部の長手方向と略直交する方向へ所定間隔をあけて複数配置していることを特徴とする請求項１又は２記載の整理具。
【請求項４】
前記窪み部の長手方向における両端外方に、対をなす支持領域を配置していることを特徴とする請求項３記載の整理具。
【請求項５】
複数列をなすように配置した窪み部間に挟まれる位置に、前記支持領域を配置していることを特徴とする請求項３記載の整理具。
【請求項６】
前記窪み部の横断面形状が、上方に向けて漸次拡大する形状であることを特徴とする請求項１乃至５いずれか記載の整理具。
【請求項７】
箱体状をなし前記被収容体を出し入れ可能な開口部を有する収容部と、前記収容部に装着可能な蓋部とを備え、
前記収容部の下部及び前記蓋部の上部に下係合部及び上係合部を形成し、
一の蓋部の上係合部に他の収容部の下係合部を係合させることで、直上に他の収容部を積み重ね得るように構成していることを特徴とする請求項１乃至６いずれか記載の整理具。
【請求項８】
前記収容部の端壁の下端部から底壁の側端部にかけて連続して切り欠いた手掛け部を備えていることを特徴とする請求項７記載の整理具。
【請求項９】
前記窪み部がその長手方向を前記収容部の端壁と略平行をなすように設けられてなり、
該端壁の上端部に、その上端縁から切り欠いた切り欠き部を備えていることを特徴とする請求項７又は８記載の整理具。
【発明の詳細な説明】
【０００１】
【発明の属する技術分野】
本発明は、名刺やはがき等の略一定形状をなす被収容体を分類整理するための整理具に関するものである。
【０００２】
【従来の技術】
従来、多数の名刺を整理するための整理具は、通常、その長手方向を仕切板を用いて適宜複数の収容空間に分割し、その分割した収容空間に名刺を整理収容し得るように構成されている。このような整理具において、その底壁には、厚み方向に貫通する係合孔が形成され、この係合孔に仕切板の下端部に形成された係合突起を挿通保持させることにより、仕切板の底壁に対する取付角度が可変可能となり、名刺の収容及び検索を好適に行うことができるように構成されている（例えば、特許文献１参照。）。
【０００３】
【特許文献１】
特開平８−１１８８６８号公報（第２〜３頁、第１図）
【０００４】
【発明が解決しようとする課題】
しかしながら、以上のような構成では、仕切板を支持するための係合孔が底壁に貫通されており、仕切板を底壁の所望の位置で取り付けるために係合孔のピッチを狭くすると底壁の強度が低下して使用上に支障をきたすといった問題点を有している。
【０００５】
そこで本発明は、上述のような整理箱に限らず、名刺やはがき等のカード類、Ａ４サイズのノート及びフロッピー（登録商標）ディスク等略一定形状をなす被収容体を分類整理可能な整理具一般について、上述した課題を解決することを主たる目的とするものである。
【０００６】
【課題を解決するための手段】
すなわち、本発明に係るカード整理具は、略一定形状をなす被収容体を分類整理するためのものであって、複数の被収容体を収容可能な収容空間を有する収容部と、前記収容空間を分割する仕切板とを具備し、所定の厚み寸法を有する前記収容部の底壁上面に、前記被収容体の下部を支持する支持領域と、前記仕切板を着脱可能に支持する複数の窪み部とを設け、前記窪み部に前記仕切板を選択的に装着し得るようにしていることを特徴とする。
【０００７】
このようなものであれば、底壁の強度を低下させることなく、底壁上面に複数の窪み部を高い密度で形成することも可能になる。このため、仕切板を取り付け得る窪み部の選択自由度も広がり、使い勝手が格段に向上する。
【０００８】
なお、本発明の望ましい態様としては、前記被収容体が、カード状のものが挙げられる。
【０００９】
また、底壁の所望の位置で仕切板を支持させるためには、前記窪み部が直線的なものであって、該窪み部を、該窪み部の長手方向と略直交する方向へ所定間隔をあけて複数配置していることが望ましい。
【００１０】
また、収容する被収容体が窪み部に落ち込まないようにするためには、前記窪み部の長手方向における両端外方に、対をなす支持領域を配置していることが望ましい。また、複数列をなすように配置した窪み部間に挟まれる位置に、前記支持領域を配置するといった態様も考えられる。
【００１１】
そして、窪み部に支持させた仕切板の底壁に対する取り付け角度を変化させ、収容空間に収容した被収容体の検索や出し入れを容易なものとするためには、前記窪み部の横断面形状が、上方に向けて漸次拡大する形状であることが好ましい。
【００１２】
箱体状をなし前記被収容体を出し入れ可能な開口部を有する収容部と、前記収容部に装着可能な蓋部とを備え、前記収容部の下部及び前記蓋部の上部に下係合部及び上係合部を形成し、一の蓋部の上係合部に他の収容部の下係合部を係合させることで、直上に他の収容部を積み重ね得るように構成すれば、例えば、該整理具を載置する机上スペースの有効利用を図ることができる。
【００１３】
なお、前記収容部の端壁の下端部から底壁の側端部にかけて連続して切り欠いた手掛け部を備えれば、手掛け部に指を掛けられるので収容部を持ち上げ易い。また、積み重ねている場合には、手掛け部に挿入した指を下側の蓋部の上向き面に掛けて、積み重ねたカード整理箱を外す方向に力を加えることができるので外し易くなる。
【００１４】
前記窪み部がその長手方向を前記収容部の端壁と略平行をなすように設けられてなり、該端壁の上端部に、その上端縁から切り欠いた切り欠き部を備えれば、端のカードを取り出し易い。切り欠き部に挿入した指を蓋部に掛け、その蓋部を取り外す方向に力を加えることができるので、蓋部を外し易くなる。
【００１５】
【発明の実施の形態】
以下、本発明の一実施形態について図面を参照して説明する。
【００１６】
本実施形態に係る整理具Ｐは、例えば、机の天板などに載置して使用するものであって、図１に示すように、略一定形状をなす被収容体（図示せず）を出し入れ可能な開口部１Ｗと前記被収容体を収容可能な収容空間Ｘとを有する箱体状の収容部１と、この収容部１の底壁１１上面に着脱可能に取り付け可能な仕切板２と、前記開口部１Ｗに装着可能な蓋部３とを備えてなる。
【００１７】
なお、本実施形態では、収容空間Ｘに収容する被収容体を名刺Ｙとして説明するが、例えば、Ａ４サイズのノートやフロッピー（登録商標）ディスクなど、略一定形状をなすものであれば、これに限られるものではない。
【００１８】
以下、各部を詳述する。
【００１９】
収容部１は、平面視略矩形状をなす底壁１１と、この底壁１１の各周端縁から略直角に起立してなり且つ対向する一対の主端壁１２及び対向する一対の主側壁１３とを具備し、これら各部を合成樹脂により一体に形成してなる。そして、このように形成した前記主端壁１２及び主側壁１３の各上端縁間に、開口部１Ｗが形成されることとなる。
【００２０】
底壁１１は、図３、図４、図５、図６等に示すように、略一定の厚み寸法を有するものである。底壁１１の上面には、窪み部たる溝１１Ｍを設けている。溝１１Ｍ  は、横断面において上方に向けて漸次拡大する形状を有している。前記溝１１Ｍは、前記主端壁１２と略平行をなす直線的なものである。そして、複数本の溝１１Ｍが、その長手方向と略直交する方向へ所定間隔をあけて形成されている。また、この溝１１Ｍの長手方向における両端外方に、すなわち、溝１１Ｍと主側壁１３の下端縁とで挟まれる領域に、支持領域１１Ａが対をなすように配置されている。前記各溝１１Ｍの長手方向寸法は、前記名刺Ｙの長辺寸法よりも短く設定されている。そのため、収容空間Ｘに収容された名刺Ｙの下辺両端部は、前記支持領域１１Ａ上に載置され支持されるようになっている。
【００２１】
主端壁１２は、図１、図３、図４、図５等に示すように、正面視横長の略矩形状をなすものである。主端壁１２の上部には、開口端側に薄肉部（以下、「主端壁上薄肉部」と称する）１２ａを形成するための段部（以下、「主端壁上向段部」と称する）１２Ｕが設けてある。主端壁１２の下部には、下端側に薄肉部（以下、「主端壁下薄肉部」と称する）１２ｂを形成するための段部（以下、「主端壁下向段部」と称する）１２Ｓが設けてある。また、主端壁１２の上部中央には、上端縁から略半円弧状に切り欠いた切り欠き部１２１が設けてある。
【００２２】
また、本実施形態では、この主端壁１２の下端部中央から前記底壁１１の側端部中央にかけて連続し、且つ、正面視及び平面視した際に、略半円弧状をなすように切り欠いてなる手掛け部１２２を備えるようにした。
【００２３】
主側壁１３は、図１、図３、図４、図５等に示すように、側面視略矩形状をなすものである。主側壁１３の上部には、開口端側に薄肉部（以下、「主側壁上薄肉部」と称する）１３ａを形成するための段部（以下、「主側壁上向段部」と称する）１３Ｕを設けている。また、主側壁１３の下部には、下端側に薄肉部（以下、「主側壁下薄肉部」と称する）１３ｂを形成するための段部（以下、「主側壁下向段部」と称する）１３Ｄを設けている。前記主側壁上向段部１３Ｕは、その段部端面が円弧状に成形されており、この段部端面を上向きの凹形弧状面１３Ｕ１となしている。前記主側壁下向段部１３Ｄは、その段部端面が円弧状に成形されており、この段部端面を下向きの凹形弧状面１３Ｄ１となしている。また、前記主側壁上薄肉部１３ａの外面中央部に、表面から膨出させた側面視略矩形状の凸部１３１を設けている。
【００２４】
なお、本実施形態では、図４に示すように、対をなす主側壁１３間の内法寸法すなわち収容空間Ｘの幅寸法を、収容する名刺Ｙの幅寸法と略同一に構成している。このことにより、収容した名刺Ｙを、主側壁１３によって整列させ得るようにしている。
【００２５】
そして、前記主端壁下向段部１２Ｓおよび前記主端壁下薄肉部１２ｂと、前記主側壁下向段部１３Ｄおよび前記主側壁下薄肉部１３ｂとによって、スタッキング用の下係合部ＳＫを構成している。
【００２６】
仕切板２は、図１、図３、図４、図６等に示すように、略一定の厚み寸法を有するカード状のものであって、正面視略矩形状をなし両側端下端部を前記支持領域１１Ａに支持される仕切板本体２１と、この仕切板本体２１の中央の下端縁から下方へ膨出し前記溝１１Ｍに支持され得る突出片２２と、前記仕切板本体２１の上端縁から上方に一部膨出させた見出し部２３とを具備している。
【００２７】
より具体的に説明すれば、前記突出片２２は、前記溝１１Ｍの深さ寸法よりも低い高さ寸法を有し、また、その溝１１Ｍの縦断寸法よりも短い寸法を長手寸法に有している。しかして、該突出片２２を前記溝１１Ｍに装着させると、図４に示すように、溝１１Ｍに突出片２２が支持されるとともに、仕切板本体２１の下辺が前記支持領域１１Ａに支持されることとなる。
【００２８】
また、本実施形態において、仕切板本体２１の縦寸法及び横寸法を名刺Ｙの縦寸法及び横寸法と略同一に構成することにより、収容部１に起立するように収容した名刺Ｙの高さと仕切板本体２１の高さとが略同一となる一方、前記見出し部２３が、収容した名刺Ｙに隠蔽されずに、名刺Ｙの検索を容易にする見出しとしての機能を発揮するようにしている。
【００２９】
蓋部３は、図１、図７、図８等に示すように、前記収容部１への取り付け側に開口端を有する偏平箱体状のものであって、前記収容部１の主側壁１３に係合可能な対をなす蓋側壁３１と、前記収容部１の主端壁１２に係合可能な蓋端壁３２と、これら蓋側壁３１及び蓋端壁３２の上端縁から若干下側の位置においてそれら蓋側壁３１及び蓋端壁３２に横架させてなる薄板状の蓋上壁３３とを備え、これら各部を合成樹脂により一体に形成してなる。なお、本実施形態では、この蓋部３を半透明をなすように形成している。
【００３０】
より具体的には、前記蓋側壁３１は、その下部に、前記収容部１の主側壁上薄肉部１３ａに重合する薄肉部（以下、「蓋側壁下薄肉部」と称する）３１ａを形成するための段部（以下、「蓋側壁下向段部」と称する）３１Ｕを備えている。そして、前記蓋側壁下薄肉部３１ａの先端縁を、前記主側壁上向段部１３Ｕに合致し得る形状の凸形弧状面３１Ｕ１となしている。また、前記蓋側壁下薄肉部３１ａの内面中央部には、主側壁１３の主側壁上薄肉部１３ａと重合した際に、前記主側壁１３に設けた凸部１３１と係合するための表面から窪ませた凹部３１１を備えている。さらに、蓋側壁３１の上部に、該蓋側壁３１の上端側に薄肉部（以下、「蓋側壁上薄肉部」と称する）３１ｂを形成するための段部（以下、「蓋側壁上向段部」と称する）３１Ｔを設けている。
【００３１】
一方、前記蓋端壁３２は、図１、図７、図８等に示すように、正面視横長の略矩形状をなすものである。蓋端壁３２の下部には、開口端側に薄肉部（以下、「蓋端壁下薄肉部」と称する）３２ａを形成するための段部（以下、「蓋端壁下向段部」と称する）３２Ｕが設けてある。蓋端壁３２の上部には、上端側に薄肉部（以下、「蓋端壁上薄肉部」と称する）３２ｂを形成する段部（以下、「蓋端壁上向段部」と称する）３２Ｔが設けてある。なお、蓋端壁上向段部３２Ｔの段部端面と前記蓋側壁上向段部３１Ｔの段部端面とは、前記蓋上壁３３の上面と面一に形成してある。
【００３２】
そして、前記蓋端壁上向段部３２Ｔおよび前記蓋端壁上薄肉部３２ｂと、前記蓋側壁上向段部３１Ｔおよび前記蓋側壁上薄肉部３１ｂとによって、前記下係合部ＳＫと係合するスタッキング用の上係合部ＵＫを構成している。
【００３３】
以上のように構成される整理具Ｐの使用方法を、▲１▼収容部１の収容空間Ｘに名刺Ｙを出し入れする場合、▲２▼収容部１の開口部１Ｗに蓋部３を装着する場合、▲３▼２つの整理具Ｐを積み重ねて使用する場合、に分けて説明する。
【００３４】
まず、▲１▼収容部１の収容空間Ｘに名刺を出し入れする場合について説明を行う。
【００３５】
机上に載置した収容部１の溝１１Ｍに仕切板２を装着すると、図３などに示すように、この仕切板２を境界として分割された収容空間Ｘ１、Ｘ２（以下、「収容空間Ｘ」と総称する。）が形成される。そして、収容空間Ｘの大きさを変更する場合には、溝１１Ｍに装着されている仕切板２を取り外して他の溝１１Ｍに装着させればよい。また、新たな仕切板２を溝１１Ｍに装着させれば、収容空間Ｘ１やＸ２をさらに分割することができる。
【００３６】
このように、仕切板２によって複数の収容空間Ｘ１、Ｘ２が形成された収容部１へ名刺Ｙを収容する際に、図６に示すように、その仕切板２を前後方向へ所定角度に傾斜させることができるので、例えば、名刺Ｙを収容する側が収容空間Ｘ１であれば、その収容空間Ｘ１を大きくする方向すなわち収容空間Ｘ２側へ仕切板２を傾斜させれば、名刺Ｙの収容を容易に行うことができる。また、このように傾斜させた仕切板２の見出し部２３の一方の面が上方に向くので、この見出し部２３に明示した例えば文字や記号などの見出し（図示せず）にしたがって名刺Ｙを分類整理しながら正しく収容することができる。なお、収容した名刺Ｙを収容部１から取り出す場合も、取り出しやすいなどの効果が得られることは言うまでもない。
【００３７】
また、収容空間Ｘの略全体にぎっしりと詰められた状態で名刺Ｙが収容されている場合でも、例えば、収容部１の切り欠き部１２１から最も端側に収容されている名刺Ｙに指を掛け、これを簡単に取り出すことができる。さらに、該収容部１の手掛け部１２２から挿入した指を、名刺Ｙの下端部に掛け、該名刺Ｙを下方から持ち上げるようにして取り出すこともできる。仕切板２は、１枚に限られず、複数枚使用してもよいのは勿論である。
【００３８】
なお、このような使用態様において、図示はしないが、開口端を上向けた蓋部３を収納部１の下方に位置付けて、その蓋部３の蓋側壁下向段部３１Ｕと収納部１の主側壁下向段部１３Ｄとを嵌め合わすように係合させれば、該蓋部３を置き台として利用できるとともに、紛失も防ぐことができる。
【００３９】
次に、▲２▼収容部１の開口部１Ｗに蓋部３を装着する場合について説明する。
【００４０】
まず、収容部１に対し蓋部３を平面視略重合する位置に位置付ける。そして、収容部１に装着させる向きへ蓋部３に外力を加えると、収納部１の凸部１３１が蓋部３の蓋側壁下薄肉部３１ａに当接し、収容部１の主側壁上薄肉部１３ａと蓋部３の蓋側壁下薄肉部３１ａとが一時的に弾性変形する。そしてさらに同じ向きへ外力を加えると、収容部１の主側壁１３と蓋部３の蓋側壁３１及び収容部１の主端壁１２と蓋部３の蓋端壁３２とがそれぞれ係合する。このとき、収容部１の凸部１３１と蓋部３の凹部３１１とが弾性係合するので、蓋部３が収容部１にがたつくことなくしっかりと取り付けられることとなる。
【００４１】
またこのように、蓋部３と収容部１とが凹部３１１及び凸部１３１によって、しっかりと取り付けられているので、例えば、一方の主端壁１２を支持されるようにして、机の引出しなどに立てて収納することもできる。このように引出しに立てて収納した整理具Ｐは、切り欠き部１２１及び手掛け部１２２に指を挿入して持ち上げて取り出すことができる。
【００４２】
次に、▲３▼２つの整理具Ｐを積み重ねて使用する場合について説明する。
【００４３】
図２、図９、図１０に示すように、２つの整理具Ｐを積み重ねると、下段側の蓋部３の上係合部ＵＫと上段側の収容部１の下係合部ＳＫとが係合する。このとき下係合部ＳＫが上係合部ＵＫに呑み込まれるように嵌め合わされているので、例えば、上段側の整理具Ｐを側方へずらす向きに外力が加わった場合でも、その上段側の整理具Ｐがずれることがない。すなわち、上段側の整理具Ｐを下段側の整理具Ｐが安定支持することができる。
【００４４】
また、積み重ねた上段側の整理具Ｐを取り外す際には、上段側の収容部１の手掛け部１２２に指を挿入して、上段の収容部１を下方から支えながら持ち上げることができるので、上段の整理具Ｐを容易に取り外すことができる。
【００４５】
またさらに、上段側の整理具Ｐを取り外しさらに下段側の蓋部３を取り外すといった手間を掛けずに、下段側に収容している名刺Ｙを取り出すには、下段側の収容部１の切り欠き部１２１に指を挿入し、下段側の蓋部３を持ち上げて、その蓋部３を上段側の整理具Ｐとともに下方から支持しながら取り外すようにすればよい。
【００４６】
このように、仕切板２を適宜選択した溝１１Ｍに装着させることで、所望の収容空間Ｘを構成でき、且つ、名刺Ｙの出し入れや検索を行い易く、また、前記溝１１Ｍが底壁１１の厚み方向に貫通していないので、従来のように係合孔が底壁を貫通したものと比して底壁１１の部材としての強度が高いといった、非常に高機能な整理具を提供することができる。
【００４７】
また、このような整理具Ｐを積み重ねて使用した場合でも、下段側の整理具Ｐが上段側の整理具Ｐを安定支持できるので、例えば、不意の外力によって、上段側の整理具Ｐが落ちて蓋がはずれてしまい、収容している名刺Ｙが散乱してしまうといった恐れもほとんどない。
【００４８】
なお、本発明は、以上に詳述した実施形態に限られるものではない。
【００４９】
例えば、図１１に示すように、複数列をなすように配置した溝１１Ｍ１間に挟まれる位置に、支持領域１１Ａ１を配置してもよい。また、図１２に示すように、略正方形状の複数の窪み部１１Ｍ２を底壁１１上面に列をなすように並べて形成し、窪み部１１Ｍ２間に挟まれる位置や窪み部１１Ｍ２及び主側壁１３間に支持領域１１Ａ２を配置するといった実施態様も考えられる。なお、これらの場合には、溝１１Ｍ１や窪み部１１Ｍ２に装着する仕切板２の突出片２２の形状も適宜変更されることは言うまでもない。
【００５０】
また、収容部１を構成する底壁１１上面に溝１１Ｍを形成しているが、引出し収納部内の上向き面に形成するなど、本実施形態に限られない。
【００５１】
さらに、上係合部ＵＫ及び下係合部ＳＫの構成も、本実施形態に限られるものではない。
【００５２】
その他本発明は以上に詳述した図示例に限られず、種々の変形が可能である。
【００５３】
【発明の効果】
以上に詳述したように本発明に係る整理具は、略一定形状をなす複数の被収容体を収容可能な収容空間を有する収容部と、前記収容空間を分割する仕切板とを具備し、所定の厚み寸法を有する前記収容部の底壁上面に、前記被収容体の下部を支持する支持領域と、前記仕切板を着脱可能に支持する複数の窪み部とを設け、前記窪み部に前記仕切板を選択的に装着し得るようにしたものであるので、複数の窪み部を、底壁の強度を低下させることなく、その底壁上面に高い密度で形成することができる。このため、仕切板を取り付け得る窪み部の選択自由度も広がり、使い勝手が格段に向上する。このように、部材の強度不足による使用上の支障もなく、また、所望の位置で収容空間を好適に分割可能な、ユーザにとって非常に使い勝手のよい整理具を提供できる。
【図面の簡単な説明】
【図１】本発明の実施形態における整理具の全体斜視図。
【図２】同実施形態における２つの整理具を積み重ねた態様を示す全体斜視図。
【図３】同実施形態における収容部の側断面図。
【図４】同実施形態における収容部の正断面図。
【図５】同実施形態における収容部の平面図。
【図６】同実施形態における仕切板の取付要部を示す端面図。
【図７】同実施形態におけ蓋部の側断面図。
【図８】同実施形態におけ蓋部の正断面図。
【図９】同実施形態における２つの整理具を積み重ねた態様における側断面図。
【図１０】同実施形態における２つの整理具を積み重ねた態様における正断面図。
【図１１】本発明の他の実施形態における収容部の平面図。
【図１２】本発明の他の実施形態における収容部の平面図。
【符号の説明】
１・・・収容部
２・・・仕切板
３・・・蓋部
１１・・・底壁
１１Ａ、１１Ａ１、１１Ａ２・・・支持領域
１１Ｍ、１１Ｍ１、１１Ｍ１２・・・窪み部（溝）
１２１・・・切り欠き部
１２２・・・手掛け部
１Ｗ・・・開口部
Ｐ・・・整理具
ＵＫ・・・上係合部
ＳＫ・・・下係合部
Ｘ、Ｘ１、Ｘ２・・・収容空間
Ｙ・・・被収容体（名刺）
【図１】
2004345657.tif 000003
【図２】
2004345657.tif 000004
【図３】
2004345657.tif 000005
【図４】
2004345657.tif 000006
【図５】
2004345657.tif 000007
【図６】
2004345657.tif 000008
【図７】
2004345657.tif 000009
【図８】
2004345657.tif 000010
【図９】
2004345657.tif 000011
【図１０】
2004345657.tif 000012
【図１１】
2004345657.tif 000013
【図１２】
2004345657.tif 000014